【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】
パチンコ球の落入通過を検出する多数のパチンコ球通過型検出手段の表側に隣接して設けられ、透明電極、蛍光体層、絶縁層、背面電極を備えたエレクトロルミネセンスセル板と、
前記エレクトロルミネセンスセル板の蛍光体の発光に必要な電力を供給する駆動回路を備え、後ろ側に前記駆動回路用コネクタが設けられ、該コネクタに前記エレクトロルミネセンスセル板、前記パチンコ球通過型検出手段のリード線が接続される配線基板と、
を備え、
前記エレクトロルミネセンスセル板の表面に数字、記号、装飾図柄等を印した表示パネルを貼着し、前記透明電極、背面電極の導出リード線を前記駆動回路のコネクタに接続して、前記エレクトロルミネセンスセル板と前記パチンコ球通過型検出手段とを電気的に接続し、前記パチンコ球通過型検出手段を通過時にその通過した球落入口に対応する位置の前記数字、記号、装飾図柄等が蛍光部の発光に応じて照明できるように設けたことを特徴とするパチンコ機。
【手続補正２】
【補正対象書類名】明細書
【補正対象項目名】０００５
【補正方法】変更
【補正の内容】
【０００５】
【課題を解決する手段】
この発明の請求項１のパチンコ機は、パチンコ球の落入通過を検出する多数のパチンコ球通過型検出手段の表側に隣接して設けられ、透明電極、蛍光体層、絶縁層、背面電極を備えたエレクトロルミネセンスセル板と、
前記エレクトロルミネセンスセル板の蛍光体の発光に必要な電力を供給する駆動回路を備え、後ろ側に前記駆動回路用コネクタが設けられ、該コネクタに前記エレクトロルミネセンスセル板、前記パチンコ球通過型検出手段のリード線が接続される配線基板と、
を備え、
前記エレクトロルミネセンスセル板の表面に数字、記号、装飾図柄等を印した表示パネルを貼着し、前記透明電極、背面電極の導出リード線を前記駆動回路のコネクタに接続して、前記エレクトロルミネセンスセル板と前記パチンコ球通過型検出手段とを電気的に接続し、前記パチンコ球通過型検出手段を通過時にその通過した球落入口に対応する位置の前記数字、記号、装飾図柄等が蛍光部の発光に応じて照明できるように設けたことを特徴とする。
【手続補正３】
【補正対象書類名】明細書
【補正対象項目名】０００６
【補正方法】変更
【補正の内容】
【０００６】
この第１の発明の構成による作用は、パチンコ球通過型検出手段３０に隣接して備えたエレクトロルミネセンスセル板の表面に数字、記号、装飾図柄等を印した表示パネルを貼着し、前記透明電極、背面電極の導出リード線を前記駆動回路のコネクタに接続して、前記エレクトロルミネセンスセル板と前記パチンコ球通過型検出手段とを電気的に接続し、前記パチンコ球通過型検出手段を通過時にその通過した球落入口に対応する位置の前記数字、記号、装飾図柄等が蛍光部の発光に応じて照明できる。そして、パチンコ球通過型検出手段３０に隣接してエレクトロルミネセンスセル板６０を備えたので、発光ダイオード等表示ランプを特別のランプ収容部に格納するための収容手段を球落入口の周辺部材に形成する必要がなくなり、表示手段の装着構造が簡単になるとともに遊戯盤面上で表示手段のためにパチンコ球の転動範囲が狭く制限される不具合も解消できる。併せて、エレクトロルミネセンスセル板の採用により表示面を拡大して表示面の数字、記号等の識別を容易とする。
【手続補正４】
【補正対象書類名】明細書
【補正対象項目名】００１０
【補正方法】変更
【補正の内容】
【００１０】
球受けユニット２０は図２乃至図４に示すように、遊戯盤面表面と遊戯盤を覆うガラス板４ａの裏面との間の空間領域Ａに合致する球落入口２３を有する合成樹脂製球受けカバー体２１、パチンコ球の落入口の球通過を検出する球検出手段の球検出器３０、合成樹脂製球検出器上部カバー体５０、合成樹脂製球検出器下部カバー体５２、装飾表示面板を貼った面状発光体６０とからなる。該球受けユニット２０は打球がこの落入口のいずれかにランダムに入ることにより、制御装置の組合せ判別回路で各球落入口の所定の組合せを判別し、各球落入口に入った球を数字表示装置１４に表示し、入賞判定部で数字表示装置における球落入口の特定の組合せが入賞判定された時、賞品コイン払出し装置から所定の枚数の賞品コインが第１コイン貯留皿６に払出される。
【手続補正５】
【補正対象書類名】明細書
【補正対象項目名】００１５
【補正方法】変更
【補正の内容】
【００１５】
図８において、面状発光体６０として、エレクトロルミネセンスセル板を用いる。エレクトロルミネセンスセル板６０は、発光の出力面として機能する透明電極６１と、蛍光体よりなる蛍光体層６２、絶縁層６３、背面電極６４、絶縁層６５を積層し、その上下に湿気を吸収する透明な材質よりなる吸湿層６６、湿気を防ぐ透明な材質からなる防湿層６７を積層したもので、その表面に数字、記号、装飾図柄等を印した表示パネル６８を貼着し、これを前記カバー体２１の前面板２２に接着材で接着する。そして、このエレクトロルミネセンスセル板の透明電極、背面電極間に電圧が印加され、その電極間に位置した蛍光体層が発光するものであり、その発光は透明電極を通じて出力され、表示パネルを照明する。すなわち、透明電極部分が面状に発光し、透明電極の形状により発光面を任意に設定でき、例えば、表示パネルの数字の部分を照明するようにできる。このエレクトロルミネセンスセル板の発光色は、緑色、黄色等適宜色彩とすることができる。表示パネル６８は文字、記号、図柄当の形象を例えば、凹凸状としてその形象の部分が透光性を有し、各形象に対応して面状発光体６０の蛍光部の発光に応じて前記形象が選択的に透過照明される。
【手続補正６】
【補正対象書類名】明細書
【補正対象項目名】００１８
【補正方法】変更
【補正の内容】
【００１８】
遊戯盤面表面上で検出可能とする通過型検出スイッチと、エレクトロルミネセンスセル板とを合わせて設ける構造であるので、透明電極と背面電極との間に駆動回路からエレクトロルミネセンスセル板の蛍光体の発光に必要な電力を供給した場合、図２の数字の部分が蛍光発光して鮮明に浮き上がるように表示され、又、その他の部分の図柄も蛍光発光して鮮明に浮き上がるように表示され、遊戯者の視覚に訴えて遊戯性を高くできる。表示パネルの表示面を拡大して識別容易とできる。表示パネルの照明は面状発光体６０を貼着するだけで済み、部品管理の簡易化、組立て作業性の向上を図ることができ、異なる機種のパチンコ機の面状発光体の共通部品化ができ、製造コストの低減を図ることができる。又、発光部は必要最小減の大きさとしてコストの低減を図ることができる。
【手続補正７】
【補正対象書類名】明細書
【補正対象項目名】００２０
【補正方法】変更
【補正の内容】
【００２０】
【発明の効果】
この発明によれば、パチンコ球通過型検出手段に隣接して備えたエレクトロルミネセンスセル板の表面に数字、記号、装飾図柄等を印した表示パネルを貼着し、前記透明電極、背面電極の導出リード線を前記駆動回路のコネクタに接続して、前記エレクトロルミネセンスセル板と前記パチンコ球通過型検出手段とを電気的に接続し、前記パチンコ球通過型検出手段を通過時にその通過した球落入口に対応する位置の前記数字、記号、装飾図柄等が蛍光部の発光に応じて照明できる。そして、パチンコ球通過型検出手段に隣接してエレクトロルミネセンスセル板を備えたので、表示手段の装着構造が簡単になるとともに遊戯盤面上で表示手段のためにパチンコ球の転動範囲が狭く制限される不具合も解消できる。併せて、エレクトロルミネセンスセル板の採用により表示面を拡大して識別容易とする効果を生ずる。そして、エレクトロルミネセンスセル板と遊戯盤面表面上で検出可能とする通過型検出スイッチと併せてアレンジ式パチンコ機に設ける構造であるので、特に多数個のパチンコ球を遊戯盤面の下方部で集中して検出し、検出器に対応した箇所で該当表示を行う構造を遊戯盤面表面とガラス面裏面間において平面状に集約した形態で設定できる。